(57)【要約】【課題】特殊線の余長部分の最小曲げ半径を簡単かつ確実に確保することができ、ワイヤハーネスの中に特殊線の余長部分を簡単かつ確実に巻き込むことができる余長吸収具を提供する。【解決手段】バンド本体１１の凹部１２に、ワイヤハーネス１の経路の途中で発生する特殊線５の余長部分５ａを収容して該特殊線５の余長を吸収するようにした余長吸収具１０であって、バンド本体１１の上面１１ａ側に特殊線５の余長部分５ａを収容する凹部１２を形成し、バンド本体１１の下面１１ｂ側を内側にして該バンド本体１１を湾曲自在に形成し、この湾曲形状の大きさＲをバンド本体１１の一端部側に形成された係合部１３ａと該バンド本体１１の他端部側に形成された係止部１４ｂとの係合位置で可変自在にした。【選択図】図４
2012065491.tif 000002
【特許請求の範囲】
【請求項１】
バンド本体の凹部に、ワイヤハーネスの経路の途中で発生する特殊線の余長部分を収容して該特殊線の余長を吸収するようにした余長吸収具であって、
前記バンド本体の上面側に前記特殊線の余長部分を収容する凹部を形成し、前記バンド本体の下面側を内側にして該バンド本体を湾曲自在に形成し、この湾曲形状の大きさを前記バンド本体の一端部側に形成された係合部と該バンド本体の他端部側に形成された係止部との係合位置で可変自在にしたことを特徴とする余長吸収具。
【請求項２】
請求項１記載の余長吸収具であって、
前記バンド本体の一端部側に前記係合部としての複数の係合突起を有したクランプ部を形成すると共に、該バンド本体の他端部側に係止部としての係止突起を有したロック部を形成したことを特徴とする余長吸収具。
【請求項３】
請求項１記載の余長吸収具であって、
前記バンド本体の一端部側に前記係合部としての丸形の係合孔を複数形成すると共に、該バンド本体の他端部側に前記係止部としての円柱状の係止突起を形成したことを特徴とする余長吸収具。
【請求項４】
請求項１記載の余長吸収具であって、
前記バンド本体に外部固定用の取付片を設けたことを特徴とする余長吸収具。
【請求項５】
請求項１記載の余長吸収具であって、
前記バンド本体にワイヤハーネス取付用のテープ巻付片を設けたことを特徴とする余長吸収具。
【請求項６】
チューブ本体内に、ワイヤハーネスの経路の途中で発生する特殊線の余長部分を収容して該特殊線の余長を吸収するようにした余長吸収具であって、
前記チューブ本体の外周面側に所定間隔毎に切断用で断面逆三角形の切り込み部をそれぞれ形成して全体を各小チューブ体から成る連鎖状に一体形成し、この連鎖状のチューブ本体を前記各切り込み部を介して湾曲自在に形成し、この湾曲形状の大きさを前記各小チューブ体の両側部にそれぞれ形成された係合部と係止部との係合位置で可変自在にしたことを特徴とする余長吸収具。
【請求項７】
請求項６記載の余長吸収具であって、
前記各小チューブ体の一側部に前記係合部としての丸形の係合孔を形成すると共に、該各小チューブ体の他側部に前記係止部としての円柱状の係止突起を形成したことを特徴とする余長吸収具。
【発明の詳細な説明】
【技術分野】
【０００１】
本発明は、ワイヤハーネスの経路の途中で発生する同軸線や光ファイバケーブル等の特殊線の余長を吸収して収容する余長吸収具に関する。
【背景技術】
【０００２】
例えば、自動車には、複数の電線を組み合わせて結束したワイヤハーネスが使用されており、この一例を図２０を用いて説明する。即ち、自動車用のワイヤハーネス１では、その配索経路の途中で組み合わせた一部の電線２に弛みが生じると、この電線２の弛んだ部分（余長部分）２ａを束ねてワイヤハーネス１の中に巻き込むことで電線２の余長を吸収していた。また、近年、自動車の通信情報等の多様化により、ワイヤハーネス１に、例えば、同軸線や光ファイバケーブル等の特殊線を組み合わせることが多い。
【先行技術文献】
【特許文献】
【０００３】
【特許文献１】特開平１０−２３９５２８号公報
【特許文献２】特開２００３−１４９４５７号公報
【特許文献３】特開２００４−４５５３５号公報
【発明の概要】
【発明が解決しようとする課題】
【０００４】
しかしながら、前記従来のワイヤハーネス１では、その経路の途中で一般の電線２と同様に巻き取ることにより前記特殊線の余長を吸収しようとすると、該特殊線は断線（芯線の破断等）を防ぐために曲げ半径（曲率半径）の最小値に規制があるため、特殊線の余長部分の許容される最小の曲げ半径（許容曲げ半径）を目分量で定めることは難しかった。また、ワイヤハーネス１に特殊線を粘着テープ等で巻き付けた際に、その余長部分の許容曲げ半径を確保して維持することができなかった。さらに、特殊線の折り返し部（図２０中符号Ｚで示す部分に相当する部分）が保護できなかった。
【０００５】
そこで、本発明は、前記した課題を解決すべくなされたものであり、特殊線の余長部分の最小曲げ半径を簡単かつ確実に確保することができ、ワイヤハーネスの中に特殊線の余長部分を簡単かつ確実に巻き込むことができる余長吸収具を提供することを目的とする。
【課題を解決するための手段】
【０００６】
請求項１の発明は、バンド本体の凹部に、ワイヤハーネスの経路の途中で発生する特殊線の余長部分を収容して該特殊線の余長を吸収するようにした余長吸収具であって、前記バンド本体の上面側に前記特殊線の余長部分を収容する凹部を形成し、前記バンド本体の下面側を内側にして該バンド本体を湾曲自在に形成し、この湾曲形状の大きさを前記バンド本体の一端部側に形成された係合部と該バンド本体の他端部側に形成された係止部との係合位置で可変自在にしたことを特徴とする。
【０００７】
請求項２の発明は、請求項１記載の余長吸収具であって、前記バンド本体の一端部側に前記係合部としての複数の係合突起を有したクランプ部を形成すると共に、該バンド本体の他端部側に係止部としての係止突起を有したロック部を形成したことを特徴とする。
【０００８】
請求項３の発明は、請求項１記載の余長吸収具であって、前記バンド本体の一端部側に前記係合部としての丸形の係合孔を複数形成すると共に、該バンド本体の他端部側に前記係止部としての円柱状の係止突起を形成したことを特徴とする。
【０００９】
請求項４の発明は、請求項１記載の余長吸収具であって、前記バンド本体に外部固定用の取付片を設けたことを特徴とする。
【００１０】
請求項５の発明は、請求項１記載の余長吸収具であって、前記バンド本体にワイヤハーネス取付用のテープ巻付片を設けたことを特徴とする。
【００１１】
請求項６の発明は、チューブ本体内に、ワイヤハーネスの経路の途中で発生する特殊線の余長部分を収容して該特殊線の余長を吸収するようにした余長吸収具であって、前記チューブ本体の外周面側に所定間隔毎に切断用で断面逆三角形の切り込み部をそれぞれ形成して全体を各小チューブ体から成る連鎖状に一体形成し、この連鎖状のチューブ本体を前記各切り込み部を介して湾曲自在に形成し、この湾曲形状の大きさを前記各小チューブ体の両側部にそれぞれ形成された係合部と係止部との係合位置で可変自在にしたことを特徴とする。
【００１２】
請求項７の発明は、請求項６記載の余長吸収具であって、前記各小チューブ体の一側部に前記係合部としての丸形の係合孔を形成すると共に、該各小チューブ体の他側部に前記係止部としての円柱状の係止突起を形成したことを特徴とする。
【発明の効果】
【００１３】
以上説明したように、請求項１の発明によれば、バンド本体の上面側に特殊線の余長部分を収容する凹部を形成し、バンド本体の下面側を内側にして該バンド本体を湾曲自在に形成し、この湾曲形状の大きさをバンド本体の一端部側に形成された係合部と該バンド本体の他端部側に形成された係止部との係合位置で可変自在にしたことにより、特殊線の余長部分の湾曲形状の大きさを許容される最小曲率かそれ以上の曲率に維持することができ、ワイヤハーネスの中に特殊線の余長部分を簡単かつ確実に巻き込むことができる。
【００１４】
請求項２の発明によれば、バンド本体の一端部側に係合部としての複数の係合突起を有したクランプ部を形成すると共に、該バンド本体の他端部側に係止部としての係止突起を有したロック部を形成したことにより、特殊線の余長部分をバンド本体の凹部に収容することで許容される最小曲げ半径かそれ以上の半径に維持して環状に巻き回すことができ、ワイヤハーネスの中に特殊線の余長部分を巻き込むことができる。
【００１５】
請求項３の発明によれば、バンド本体の一端部側に係合部としての丸形の係合孔を複数形成すると共に、該バンド本体の他端部側に係止部としての円柱状の係止突起を形成したことにより、特殊線の余長部分を許容される最小曲げ半径かそれ以上の半径に簡単かつ確実に維持して環状に巻き回すことができ、ワイヤハーネスの中に特殊線の余長部分を簡単かつ確実に巻き込むことができる。
【００１６】
請求項４の発明によれば、バンド本体に外部固定用の取付片を設けたことにより、特殊線の余長部分を許容される最小曲げ半径かそれ以上の半径に維持するように収容したバンド本体をワイヤヘーネスの例えば枝線に巻き付けた状態で、外部固定用の取付片を介して自立した状態で自動車の車体等に固定することができる。
【００１７】
請求項５の発明によれば、バンド本体にワイヤハーネス取付用のテープ巻付片を設けたことにより、特殊線の余長部分を許容される最小曲げ半径かそれ以上の半径に維持するように収容したバンド本体をワイヤヘーネスの電線束（例えば幹線等）の外側に固定することができる。
【００１８】
請求項６の発明によれば、チューブ本体の外周面側に所定間隔毎に切断用で断面逆三角形の切り込み部をそれぞれ形成して全体を各小チューブ体から成る連鎖状に一体形成し、この連鎖状のチューブ本体を各切り込み部を介して湾曲自在に形成し、この湾曲形状の大きさを各小チューブ体の両側部にそれぞれ形成された係合部と係止部との係合位置で可変自在にしたことにより、特殊線の余長部分の湾曲形状の大きさを許容される最小曲率かそれ以上の曲率に維持することができ、ワイヤハーネスの中に特殊線の余長部分を簡単かつ確実に巻き込むことができる。
【００１９】
請求項７の発明によれば、各小チューブ体の一側部に係合部としての丸形の係合孔を形成すると共に、該各小チューブ体の他側部に係止部としての円柱状の係止突起を形成したことにより、特殊線の余長部分を許容される最小曲げ半径かそれ以上の半径に簡単かつ確実に維持して環状に巻き回すことができ、ワイヤハーネスの中に特殊線の余長部分を簡単かつ確実に巻き込むことができる。
【図面の簡単な説明】
【００２０】
【図１】本発明の第１実施形態の特殊線の余長吸収具を示す平面図である。
【図２】上記余長吸収具の右側面図である。
【図３】上記余長吸収具の左側面図である。
【図４】上記余長吸収具を円環状に湾曲させてワイヤハーネスに実装した状態を示す説明図である。
【図５】本発明の第２実施形態の特殊線の余長吸収具を示す平面図である。
【図６】上記第２実施形態の余長吸収具の右側面図である。
【図７】上記第２実施形態の余長吸収具の左側面図である。
【図８】本発明の第３実施形態の特殊線の余長吸収具を示す平面図である。
【図９】上記第３実施形態の余長吸収具の右側面図である。
【図１０】上記第３実施形態の余長吸収具の左側面図である。
【図１１】本発明の第４実施形態の特殊線の余長吸収具を示す平面図である。
【図１２】上記第４実施形態の余長吸収具の右側面図である。
【図１３】上記第４実施形態の余長吸収具の左側面図である。
【図１４】（ａ）は上記各実施形態の余長吸収具のバンド本体の断面図及び部分平面図、（ｂ）は他の形態の余長吸収具のバンド本体の断面図及び部分平面図、（ｃ）は別の形態の余長吸収具のバンド本体の断面図及び部分平面図である。
【図１５】本発明の第５実施形態の特殊線の余長吸収具を示す側面図である。
【図１６】上記第５実施形態の余長吸収具の正面図である。
【図１７】上記第５実施形態の余長吸収具を円環状に湾曲させた状態を示す側面図である。
【図１８】上記第５実施形態の余長吸収具を円環状に湾曲させてワイヤハーネスに実装した状態を示す説明図である。
【図１９】上記第５実施形態の余長吸収具を逆Ｖ字状に湾曲させてワイヤハーネスに実装した状態を示す説明図である。
【図２０】従来の電線の余長部を束ねてワイヤハーネスの中に巻き込んで実装した状態を示す説明図である。
【発明を実施するための形態】
【００２１】
以下、本発明の実施形態を図面に基づいて説明する。
【００２２】
図１は本発明の第１実施形態の特殊線の余長吸収具を示す平面図、図２は同余長吸収具の右側面図、図３は同余長吸収具の左側面図、図４は同余長吸収具を円環状に湾曲させてワイヤハーネスに実装した状態を示す説明図である。
【００２３】
図１及び図４に示すように、余長吸収バンド（余長吸収具）１０は、バンド本体１１の凹部１２内に、ワイヤハーネス１の配索経路の途中で発生する特殊線５の余長部分５ａを収容して該特殊線５の余長を吸収するものである。この特殊線５としては、同軸線、光ファイバケーブル、チューブ、ツイスト線（撚り合わせ線）、ワイヤロープ等がある。
【００２４】
図４に示すように、バンド本体１１は、螺旋円環状に弾性変形するように可撓性を有した柔軟な樹脂材等より形成されていて、矩形板状のベース部１１Ａと、このベース部１１Ａ上に斜めに一体突出形成された四角板状の傾斜部１１Ｂと、この傾斜部１１Ｂの右端側よりベース部１１Ａの長手方向に沿って平行に突出するように延びる四角板状の一側部１１Ｃと、傾斜部１１Ｂの左端側よりベース部１１Ａの長手方向に沿って平行に突出するように延びる四角板状の他側部１１Ｄとを備えている。一側部１１Ｃと他側部１１Ｄとは傾斜部１１Ｂを介して両側部１１Ｃ，１１Ｄの各幅分それらの位置がずれるように形成してある。
【００２５】
また、図１〜図３に示すように、バンド本体１１の上面１１ａ、即ち、一側部１１Ｃと傾斜部１１Ｂと他側部１１Ｄの上面の中央には特殊線５の余長部分５ａを嵌め込むように収容する断面Ｃ字溝状の凹部１２を連続して形成してある。この凹部１２内に抜け止めされて収容される特殊線５の余長部分５ａの通過経路を図１中一点鎖線Ｓで示す。
【００２６】
さらに、バンド本体１１の一側部１１Ｃの一端には矩形板状のクランプ部１３を一体突出形成してある。このクランプ部１３の下面には複数の係合突起（係合部）１３ａを一体突出形成してある。また、バンド本体１１の下面１１ｂ、即ち、ベース部１１Ａの左端の下面にはクランプ部１３を挿通させてロックするロック部１４を一体突出形成してある。このロック部１４は、クランプ部１３を挿通させる挿通孔１４ａと、クランプ部１３の各係合突起１３ａを係合させてロックする係止突起（係止部）１４ｂとを備えている。
【００２７】
そして、図４に示すように、バンド本体１１の下面１１ｂ側を内側にして該バンド本体１１のベース部１１Ａ等を湾曲させ、クランプ部１３をロック部１４の挿通孔１４ａに挿通させた後で、該クランプ部１３の最後（一側部１１Ｃの一端側）の係合突起１３ａをロック部１４の係止突起１４ｂに係合させてロックすると、特殊線５の余長部分５ａを許容される最小曲げ半径Ｒになるように巻き回す形状である螺旋円環状に湾曲させることができるようになっている。即ち、クランプ部１３の最後の係合突起１３ａとロック部１４の係止突起１４ｂとの距離ａが特殊線５の余長部分５ａの最小曲げ半径Ｒの円周になっている。また、クランプ部１３の最初（クランプ部１３の自由端側）の係合突起１３ａをロック部１４の係止突起１４ｂに係合させてロックすると、この余長吸収バンド１０では、最大の曲げ半径となるように特殊線５の余長部分５ａを螺旋円環状に巻き回すことができるようになっている。このように、クランプ部１３の各係合突起１３ａとロック部１４の係止突起１４ｂとの係合位置で、バンド本体１１の曲げ半径（湾曲形状）の大きさを可変することができるようになっている。
【００２８】
以上第１実施形態の余長吸収バンド１０を用いて、ワイヤハーネス１の配索経路の途中で発生する特殊線５の余長を吸収するには、まず、特殊線５の余長部分５ａにバンド本体１１の凹部１２を嵌め込んで余長吸収バンド１０を装着する。次に、バンド本体１１のクランプ部１３をロック部１４の挿通孔１４ａに差し込み、例えば、特殊線５の余長部分５ａを最小曲げ半径Ｒになるように巻き回すには、クランプ部１３の最後の係合突起１３ａをロック部１４の係止突起１４ｂに係合させてロックする。次に、ワイヤハーネス１を構成する複数の電線３と一緒に、特殊線５の余長部分５ａを螺旋円環状に固定した余長吸収バンド１０を粘着テープＴで巻き付けて結束する。
【００２９】
このように、ワイヤハーネス１の配索経路の途中で発生する特殊線５の余長部分５ａを余長吸収バンド１０のバンド本体１１の凹部１２に嵌め込んで固定することにより、特殊線５の余長部分５ａを最小曲げ半径Ｒかそれ以上の半径に維持して螺旋円環状に簡単かつ確実に巻き回すことができると共に、ワイヤハーネス１の中に特殊線５の余長部分５ａを余長吸収バンド１０を介して巻き込んでテープ巻きすることができる。即ち、図４に示すように、ワイヤハーネス１の中に特殊線５の余長部分５ａを巻き込んでも、特殊線５の余長部分５ａの最小曲げ半径Ｒは余長吸収バンド１０を介して常に確保され、最小曲げ半径以下で巻き取られてダメージを受けることがない。これにより、特殊線５の余長部分５ａの最小曲げ半径Ｒは余長吸収バンド１０により確実に維持され、また、特殊線５の余長部分５ａは余長吸収バンド１０により保護されるため、該余長部分５ａの断線を確実に防止することができる。
【００３０】
図５は本発明の第２実施形態の特殊線の余長吸収具を示す平面図、図６は同余長吸収具の右側面図、図７は同余長吸収具の左側面図である。
【００３１】
図５〜図７に示すように、この第２実施形態の余長吸収バンド（余長吸収具）１０Ａでは、バンド本体１１の一側部１１Ｃの一端に一体突出形成したクランプ部１３に、丸形の係合孔（係合部）１５を複数形成してあると共に、バンド本体１１のベース部１１Ａの左端の下面に、頂部が半球状で胴部が円柱状の係止突起（係止部）１６を一体突出形成してある。
【００３２】
そして、クランプ部１３の各係合孔１５と係止突起１６との係合位置で、バンド本体１１の曲げ半径（湾曲形状）の大きさを可変することができるようになっており、他の構成及び作用効果は、前記第１実施形態と同様であるので、同一構成部分に同一符号を付して詳細な説明は省略する。
【００３３】
図８は本発明の第３実施形態の特殊線の余長吸収具を示す平面図、図９は同余長吸収具の右側面図、図１０は同余長吸収具の左側面図である。
【００３４】
図８〜図１０に示すように、この第３実施形態の余長吸収バンド（余長吸収具）１０Ｂでは、バンド本体１１のベース部１１Ａの両側に外部固定用でＬ字形の取付片１７，１７をそれぞれ一体突出形成してあり、他の構成は、前記第１実施形態と同様であるので、同一構成部分に同一符号を付して詳細な説明は省略する。
【００３５】
この第３実施形態の余長吸収バンド１０Ｂでは、バンド本体１１のベース部１１Ａの両側に外部固定用の取付片１７，１７をそれぞれ設けたことにより、特殊線５の余長部分５ａを許容される最小曲げ半径Ｒかそれ以上の半径に維持するように収容したバンド本体１１をワイヤハーネス１の例えば図示しない枝線にテープ巻きした状態で、外部固定用の取付片１７を介して自立した状態で図示しない自動車の車体等に簡単かつ確実に固定することができる。
【００３６】
図１１は本発明の第４実施形態の特殊線の余長吸収具を示す平面図、図１２は同余長吸収具の右側面図、図１３は同余長吸収具の左側面図である。
【００３７】
図１１〜図１３に示すように、この第４実施形態の余長吸収バンド（余長吸収具）１０Ｃでは、バンド本体１１のベース部１１Ａを他側部１１Ｄ側に更に延びるように一体突出形成させてワイヤハーネス取付用のテープ巻付片１８とすると共に、該ベース部１１Ａと十字状に成るように該ベース部１１Ａの両側に一対のワイヤハーネス取付用のテープ巻付片１９，１９を一体突出形成してあり、他の構成は、前記第１実施形態と同様であるので、同一構成部分に同一符号を付して詳細な説明は省略する。
【００３８】
この第４実施形態の余長吸収バンド１０Ｃでは、バンド本体１１にワイヤハーネス取付用のテープ巻付片１８，１９を十字状にそれぞれ設けたことにより、特殊線５の余長部分５ａを許容される最小曲げ半径Ｒかそれ以上の半径に維持するように収容したバンド本体１１をワイヤハーネス１の電線束（例えば幹線等）の外側に粘着テープ等を介して簡単かつ確実に固定することができる。
【００３９】
尚、前記第１〜第４実施形態によれば、図１４（ａ）に示すように、バンド本体１１の上面１１ａに特殊線５の余長部分５ａを嵌め込むように収容する凹部１２を断面Ｃ字溝状に形成したが、図１４（ｂ）に示す他の態様のように、バンド本体１１の上面に鉤状のフック部１２ａを交互に相対向するように突設させて特殊線５の余長部分５ａを嵌め込んで収容する凹部１２′としたり、また、図１４（ｃ）に示す別の形態のように、バンド本体１１の上面１１ａに特殊線５の余長部分５ａを載せる半円弧状の凹部１２″を形成して、該凹部１２″に特殊線５の余長部分５ａを接着剤等により接着させるようにしても良い。
【００４０】
図１５は本発明の第５実施形態の特殊線の余長吸収具を示す側面図、図１６は同余長吸収具の正面図、図１７は同余長吸収具を円環状に湾曲させた状態を示す側面図、図１８は同余長吸収具を円環状に湾曲させてワイヤハーネスに実装した状態を示す説明図である。
【００４１】
図１５〜図１９に示すように、余長吸収チューブ（余長吸収具）２０は、チューブ本体２１内に、ワイヤハーネス１の配索経路の途中で発生する特殊線５の余長部分５ａを収容して該特殊線５の余長を吸収するものである。
【００４２】
図１５〜図１７に示すように、チューブ本体２１はゴム材や柔軟な樹脂材等により厚肉の断面Ｃ字状に形成されていて、その外周面２１ａ側に所定間隔Ｐ毎に節となる切断用で断面逆三角形の切り込み部２３をそれぞれ環状に形成して全体を各小チューブ体２２から成る連鎖状に一体形成してある。
【００４３】
そして、この連鎖状のチューブ本体２１は、各切り込み部２３の角度θと各小チューブ体２２の長さＰを調整することで所定半径に湾曲自在になっていて、特殊線５の余長部分５ａの許容される最小曲げ半径（湾曲形状）Ｒを設定することができるようになっている。また、この曲げ半径の大きさは、各小チューブ体２２の両側部２２ａ，２２ｂにそれぞれ形成された丸形の係合孔（係合部）２４と円柱状の係止突起（係止部）２５との係合位置で可変できるようになっている。即ち、各小チューブ体２２の一側部２２ａに丸形の係合孔２４を形成してあると共に、該各小チューブ体２２の他側部２２ｂに円柱状の係止突起２５を一体突出形成してある。
【００４４】
さらに、図１６に示すように、各小チューブ体２２は断面Ｃ字状に形成されていて、この上側の開口部２２ｃより特殊線５の余長部分５ａが抜け止めされて収容されるようになっている。さらに、チューブ本体２１を湾曲させた時に、図１７に示すように、隣接する小チューブ体２２の開口部２２ｃ側は各切り込み部２３により切れて分離されるが、小チューブ体２２の底部２２ｄ側は切れて分離することはなく連結した状態を維持できるようになっている。
【００４５】
以上第５実施形態の余長吸収チューブ２０を用いて、ワイヤハーネス１の配索経路の途中で発生する特殊線５の余長を吸収するには、まず、特殊線５の余長部分５ａの長さに合うようにチューブ本体２１の節としての１つの切り込み部２３を切断して、チューブ本体２１の長さを特殊線５の余長を吸収したい長さに合わせる。次に、特殊線５の余長部分５ａにチューブ本体２１を嵌め込んで余長吸収チューブ２０の全体を螺旋円環状に巻き回す。次に、図１７に示すように、特殊線５の余長部分５ａを最小曲げ半径Ｒかそれ以上の半径にになるように余長吸収チューブ２０の巻き取り径を整えて、チューブ本体２１を構成する小チューブ体２２の係合孔２４に該小チューブ体２２に相接する隣りの小チューブ体２２の係止突起２５を係合させて所定半径の螺旋円環状に固定する。次に、ワイヤハーネス１を構成する複数の電線３と一緒に特殊線５の余長部分５ａを螺旋円環状に固定した余長吸収チューブ２０を粘着テープＴで巻き付けて、図１８に示すように、結束する。
【００４６】
このように、ワイヤハーネス１の配索経路の途中で発生する特殊線５の余長部分５ａを余長吸収チューブ２０のチューブ本体２１内に嵌め込んで固定することにより、特殊線５の余長部分５ａを最小曲げ半径Ｒかそれ以上の半径に維持して螺旋円環状に簡単かつ確実に巻き回すことができると共に、ワイヤハーネス１の中に特殊線５の余長部分５ａを余長吸収チューブ２０を介して巻き込んでテープ巻きすることができる。即ち、図１８に示すように、ワイヤハーネス１の中に特殊線５の余長部分５ａを巻き込んでも、特殊線５の余長部分５ａの最小曲げ半径Ｒは、各切り込み部２３の角度θと各小チューブ体２２の長さＰにより常に確保され、最小曲げ半径以下で巻き取られてダメージを受けることがない。これにより、特殊線５の余長部分５ａの最小曲げ半径Ｒは余長吸収チューブ２０により確実に維持され、また、特殊線５の余長部分５ａは余長吸収チューブ２０により保護されるため、該余長部分５ａの断線を確実に防止することができる。
【００４７】
また、余長吸収チューブ２０の各小チューブ体２２の一側部２２ａに形成された係合孔２４と各小チューブ体２２の他側部２２ｂに形成された係止突起２５とにより、特殊線５の余長部分５ａを許容される最小曲げ半径Ｒかそれ以上の半径に簡単かつ確実に維持して螺旋円環状に巻き回すことができ、ワイヤハーネス１の中に特殊線５の余長部分５ａを簡単かつ確実に巻き込むことができる。
【００４８】
図１８は余長吸収チューブ２０を円環状に巻き回してワイヤハーネス１に粘着テープを介して実装した状態を示すが、図１９に示すように、余長吸収チューブ２０を円環状に巻かなくても逆Ｖ字状に湾曲させても特殊線５の余長部分５ａの最小曲げ半径Ｒは確保できる。
【符号の説明】
【００４９】
１  ワイヤハーネス
５  特殊線
５ａ  余長部分
１０，１０Ａ，１０Ｂ，１０Ｃ  余長吸収バンド（余長吸収具）
１１  バンド本体
１１ａ  上面
１１ｂ  下面
１２，１２′，１２″  凹部
１３  クランプ部
１３ａ  係合突起（係合部）
１４  ロック部
１４ｂ  係止突起（係止部）
１５  丸形の係合孔（係合部）
１６  係止突起（係止部）
１７  外部固定用の取付片
１８，１９  ワイヤハーネス取付用のテープ巻付片
２０  余長吸収チューブ（余長吸収具）
２１  チューブ本体
２１ａ  外周面
２２  小チューブ体
２２ａ  一側部
２２ｂ  他側部
２３  断面逆三角形の切り込み部
２４  丸形の係合孔（係合部）
２５  円柱状の係止突起（係止部）
Ｒ  最小曲げ半径（湾曲形状の大きさ）
【図１】
2012065491.tif 000003
【図２】
2012065491.tif 000004
【図３】
2012065491.tif 000005
【図４】
2012065491.tif 000006
【図５】
2012065491.tif 000007
【図６】
2012065491.tif 000008
【図７】
2012065491.tif 000009
【図８】
2012065491.tif 000010
【図９】
2012065491.tif 000011
【図１０】
2012065491.tif 000012
【図１１】
2012065491.tif 000013
【図１２】
2012065491.tif 000014
【図１３】
2012065491.tif 000015
【図１４】
2012065491.tif 000016
【図１５】
2012065491.tif 000017
【図１６】
2012065491.tif 000018
【図１７】
2012065491.tif 000019
【図１８】
2012065491.tif 000020
【図１９】
2012065491.tif 000021
【図２０】
2012065491.tif 000022